(57)【要約】  人形は、頭部を支持する人形本体を備えており、その上に実質的に無顔の容貌の無い顔面が洗浄可能な材料で形成されている。ステンシルマスクは、顔面に受け入れられるように構成され、無顔の顔面に概ね適応する面板を画定している。面板は、複数の成形された開口を画定しており、その開口は顔面容貌の一般的な位置に対応して面板に形成されている。それぞれ面板開口の開口形状に対応した形状のフランジを有する複数の容貌スタンプは、人形の顔面に描くために開口を通過する容貌イメージスタンプを支持している。
2005515047.tif 000002
【特許請求の範囲】
【請求項１】
人形であって、
顔面を画定する頭部を有する人形本体と、
前記顔面に概ね沿うように成形された面板を有し、複数の開口を画定するステンシルマスクと、
顔の容貌を描くためのスタンプを形成するために各々が容貌の隆起イメージ(raised image)を有する複数の容貌スタンプ(feature stamp)であって、前記開口の１つを通って前記顔面に接触する容貌スタンプとを備え、
前記ステンシルマスクは、前記顔面上へ顔の容貌を描く(imprint)ときの位置決めをする機能を有する。
【請求項２】
請求項１に記載の人形において、
前記開口は各々開口形状を画定し、前記複数の容貌スタンプは前記開口の少なくとも１つを通過でき、少なくとも１つの開口を通過できないように各々構成されている。
【請求項３】
請求項２に記載の人形において、
各々の容貌スタンプを構成するために、前記複数の容貌スタンプは各々前記開口の少なくとも１つに対応する形状を有するフランジを備えている。
【請求項４】
人形において、
首部を有する人形本体と、
前記首部に支持されて概ね凸状の顔面を有する頭部と、
前記顔面に概ね適合する概ね凸状面板を有するステンシルマスクであって、前記面板が各々特徴的な形状を有する複数の開口を画定するステンシルマスクと、
前記開口の少なくとも１つで全部ではない開口を通るように成形された部分を有し、顔の容貌を形成する各々隆起した描画イメージを有する複数の容貌スタンプと、
前記隆起した描画イメージにインクを供給する手段とを備え、
前記各開口が前記顔面の各部分に重なり、前記容貌スタンプが顔面に容貌イメージを描くために選択された開口を通して選択的に移動するように、前記ステンシルマスクは前記頭部に配置される。
【請求項５】
請求項４に記載の人形において、
前記ステンシルマスクは、前記顔面に対して前記ステンシルマスクを方向付けするための、前記首部と協働する位置決め用切り欠きを画定している。
【請求項６】
請求項５に記載の人形において、
前記顔面は洗浄可能な材料で形成されている。
【請求項７】
人形遊び(doll play)の方法であって、
洗浄可能な材料で形成された概ね容貌の無い顔面を有する人形を用い、
複数の成形された開口を画定する面板を有するステンシルマスクを用い、
インク付きの複数の容貌スタンプであって、各々が前記成形された開口少なくとも１つを通る容貌スタンプを用い、
前記ステンシルマスクを前記顔面上に配置し、
前記インク付きの容貌スタンプの１つを、前記顔面上に容貌イメージを描くために前記開口の１つを通して押し出し、前記１つの容貌スタンプを引き出し、
前記顔面上に他のイメージを描くために、異なる容貌スタンプ及び異なる開口を用いて前記押出工程を繰り返し、
前記ステンシルマスクを外す、
工程を含む方法。
【発明の詳細な説明】
【技術分野】
【０００１】
本発明は、概して人形及びおもちゃの人物に係り、特に人形及びおもちゃの人物の魅力を高める方法及び装置に関するものである。
【背景技術】
【０００２】
人形及びおもちゃの人物は、おそらく歴史的に知られており記録されている中で最も古い形式のおもちゃである。初期の単純な手作りによる人間や動物の粗雑な模写から、今日の複雑な電池駆動の電子制御及び電子操作の人形及びおもちゃの人物まで、事実上終わりの無い開発及び改良の変遷が進んでいる。しばしば「人形」という言葉は、多くの場合、人間のような容姿として使われ、「おもちゃの人物」という言葉は一般的に動く人物及び空想上の人物と共に人間及び動物の両方のような特別な容姿の種類として記述される。人形とおもちゃの人物との間の区別は、多くの事例においていくつかの目的があるが、本発明に関して、人形という言葉はここでは事実上何れかの型式の人形及びおもちゃの人物の集合体を示し又は適用するために使用される。本発明は、一般的に特に顔の容貌を有する人形に関する。
【０００３】
人形は大量生産製品となった時に、人形芸術分野における実務者たちは、そのような人形の面白さ及び遊ぶ価値を向上させるために尽力してきた。人形の人気の向上及び継続により、人形芸術分野における実務者たちは、事実上終わり無く種々の人形を作り出してきた。例えば、グーズナー(Goozner)氏に発行された米国特許第３，７８３，５５３号は、頭部を支持するぬいぐるみの人形本体を備える人形組立体を有する無顔の子供の人形を開示しており、その頭部は順に単一の均一な色の無顔部分を支持している。顔部分は、顔の容貌は無く目と口の位置を示唆する僅かに凹状の窪みで形成されている。無顔部分は、クレヨンや同様の非永続的な描画材の描画をはじくように作られている。結果として、子供の使用者は、その上に顔の容貌を描くことができる。そのような容貌は、必要に応じて拭き取り布で取り除くことができる。
【０００４】
シアーフォス（Cearfoss）氏に発行された米国特許第５，０４６，９８５号には、「描画可能な面板に沿う顔面片を備えた人形」が開示されており、これは無顔の面板に沿う顔面片上に永続的に描かれている人形の顔を備えており、両方とも人形の頭部に支持されている。顔面片が下方位置に移動した場合、人形は従来の態様で遊ばれる。反対に、顔面片が持ち上げられると、無顔の面板が現れて、子供の使用者が顔の図案を描くことができる。
【０００５】
キンベルグ(Kinberg)氏に発行された米国特許第３，８６３，３８６号には、「容易に消去できる人形の顔組立体」が開示されており、組立体は実質的に従来の構造で頭部を支持する人形本体を有している。頭部は更に、光沢のある染料で被覆されまたは混ぜ合わされた透明な合成樹脂から作られる、容易に消去できる顔を備えている。光沢のある染料は、圧力の下で面板に完全に結合するようになり、そして消去可能に貼り付く。結果として、子供の使用者は、顔面上に消去可能な線や容貌を描くために一般的な針等を用いることができる。
【０００６】
ニューマン(Newman)氏に発行された米国特許第４，５７３，９２７号には、人形の形態に適用できる「感情を表す手段及び方法」が開示されている。人形は、感情の表現を出すために異なる表情を有する交換可能な顔を受け入れて支持するように構成されている。
【０００７】
ジョージ(George)氏らに発行された米国特許第６，０９９，３７８号には、「実物そっくりの人形の頭部システム及びその方法」が開示されており、これは特に子供の顔の容貌を有する人形を作る場合に適用される。使用者は、子供の顔の表情に最も近く似ている顔の特徴を選択するために、図表で示された１０個の顔の特徴を用いる。選択された顔の特徴は、７種類の顔の形状と共に、様々な肌の調子、目の色、まつげの色、まゆげの色及び、形状と共に髪の色、刈り込み、長さ及び髪形などを備えている。選択された特徴は、選択された子供に近く似せたある種の人形を作り出すために、その後人形の頭部に取り付けられる。
【０００８】
ジレリ(Girelli)氏に発行された米国特許第４，９８２，５０１号には、「人形の頭部及びその製造方法」が開示されており、これはポリエステル織物の第１の当て布と共に２つの直角な方向に伸長できるポリエステルの第１の薄板を適用し、ポリエステル織物は第１の厚い板の反対側に取り付けられている。加熱及び加圧形成に応じて、人形の顔部分及び一体的首伸長部が形成される。人形の頭頂部は、顔部分及び首伸長部に縫い合わされる。
【０００９】
関連技術において、バーディーン(Bardeen)氏らに発行された米国特許第６，０５５，７３８号には、「イメージを写すためのステンシル、道具一式及びその方法」が開示されており、これは基板へのイメージ転写での使用に適応し、個別の容貌の全体によってイメージが形成される。ステンシルは、複数の開口が形成された可撓性の材料の薄板からなる。開口は、各組の開口がそれぞれ個別の容貌の輪郭を描くように、開口の組が関連付けて構成されている。開口の組は同時に、転写されるべき所定のイメージを画定している。野菜のような対象物にステンシルによるイメージを転写する例が示されている。
【００１０】
ネルソン(Nelson)氏らに発行された米国特許第６，１１２，４２５号には、「輪郭、角部及び切欠きの雛型」が開示されており、これは書写または切り抜きを案内して複数のパターンを形成するための補助をする。
【００１１】
ヤソシミ(Yasoshimi)氏に発行された米国特許第５，８６５，３０５号には、「ステンシルケース及びケース内のステンシルセット」が開示されており、これはインク台、ステンシルブラシ及びステンシルを収納している。ケースは、異なる色のインク台を底部内で平行に収納するための、多数のインク台収納溝を提供する底部と蓋部を備えている。
【００１２】
カサル(Casale)氏に発行された米国特許第５，１９５，３０５号には、「三次元像配置のための形状維持ステンシル」が開示されており、これは平坦でない対象物や表面にイメージを配置するのに用いられる。ステンシルは、形状維持材料から形成され、それにパターンを画定する複数の開口が形成されている。材料は、平坦でない表面上に置かれ、薄板の開口を通して表面上にマークが形成される。
【００１３】
フィクセン(Fixen)氏に発行された米国特許第２，９５０，７８３号及びフォルク(Volk)氏に発行された米国特許第５，５３３，９００号には、ステンシル道具一式の例が開示されている。
【００１４】
ハーパー(Harper)氏に発行された米国特許第４，８３６，７８３号、イママキ(Imamaki)氏に発行された米国特許第５，７３２，６２７号及びデルチア(De Lucia)氏に発行された米国特許第３，２３４，６８１号には、本発明と一般的な関連を有する様々な作業セット材が開示されている。
【００１５】
上記した先行技術の装置はこの技術を幾分向上させ、いくらかの商業的成功を享受したいくつかの実例であるが、それにもかかわらずこの技術分野において、更に進歩した面白くて楽しめる人形及び人形を中心とした遊びセットの継続的要求が残っている。
【発明の開示】
【発明が解決しようとする課題】
【００１６】
従って、本発明の主な目的は、改良された人形を提供することである。本発明のより具体的な目的は、人形の容貌を容易に変更し追加できる付随した遊びセットを有する改良された人形を提供することである。本発明の更に具体的な目的は、小さな子供による使用に特に適した、容貌が変更可能な改良された人形を提供することである。
【課題を解決するための手段】
【００１７】
本発明によれば、顔面を画定する頭部を有する人形本体と、顔面に概ね沿って成形され複数の開口を画定する面板を有するステンシルマスクと、顔面容貌を描くためのスタンプを形成する隆起した容貌イメージを各々有する複数の容貌スタンプであって開口の１つを通って移動して顔面に接触する容貌スタンプと、顔面に顔面容貌を描くのに位置決めする機能をもつステンシルマスクとを備えている、人形が提供される。
【発明を実施するための最良の形態】
【００１８】
新規性を有すると確信する本発明の特徴は、添付された特許請求の範囲に具体的に示されている。本発明は、更なる目的及び利点と共に、添付された図面と関連させて後述する詳細な説明を参照することによって最もよく理解されるであろう。ここで、それぞれの図において同じ参照符号は同じ要素を表している。
【００１９】
図１は、本発明に従って作られた人形の遠近法による組立図を示し、全体として符号１０として示されている。人形１０は、一対の脚１２、１３と共に一対の腕１４，１５を支持する人形本体１１を備えている。人形１０は、更に上方に延びて頭部１７を支持する首部１６を備えている。頭部１７は顔面２０を画定すると共に一対の耳１８，１９を支持し、更に取付パッド２１を頭部１７の上面に備えている。人形１０は更に、内側頂部に固定された取付パッド２３を有するかつら２２を備えている。
【００２０】
また図１に示すように、頂部に固定された取付パッド３１を有する取り替え用かつら３０も人形１０と組み合わせられる。両方のかつら３０，２２は、頭部１７の上に取り付けられ概ね図１０に示すように位置決めされるように構成されている。かつら２２，３０は人形１０に対して交換可能であり異なる髪型を提供することは理解されるであろう。
【００２１】
脚１２，１３と腕１４，１５と共に本体１１は、従来の製造技術に従って製造される。同様に、顔面２０及び取付パッド２１から離れた位置の頭部１７と共に首部１６は、従来の製造技術に従って製造される。顔面２０は、本発明の重要な態様に従って、望ましくは完全に顔の外観が決められていないか或いは実質的に顔の輪郭及び外観が決められていないかのどちらかで、概ね凸状面となるように形成される。加えて、顔面２０は、インクを後述する態様で塗ることができ且つ容易に顔面２０からそのようなインクを洗い落とせるように、プラスチックなどの洗浄可能な材料で形成されていることが望ましい。例えば、顔面２０は一般的な洗浄可能プラスチック材料で作られても良いし、その他非浸透被覆が施された適当な布織物によって作られてもよい。
【００２２】
本発明の更に別の態様においては、かつら２２，３０のような交換可能なかつらの使用は、人形１０の髪型をはっきりと変化させることを容易にする。各々の場合において、取付パッド２１は、かつら２２を固定するために協働する取付パッド２３又は他方のかつら３０を固定するための取付パッド３１に貼り付く。本発明の望ましい製造方法において、取付パッド２１は一般的なヴェルクロ（Velcro：商標）構造(hook and loop fabric)の取付具の一方の部分からなり、取付パッド２３，３１は対応して協働するヴェルクロ固定具の取付パッドからなる。
【００２３】
図２は、本発明に従って構成された容貌の回転盤４０を示し、全体として符号４０で表されている。容貌回転盤４０は外環４１を備えており、その上には複数の上側頭部４２〜４９が描かれている。頭部４２〜４９は放射状に向いており、概ね間が等しい角度間隔で中心を有している。容貌回転盤４０は、更に中心ピン５１によって外環４１に対して回転自在に支持される内環５０を備えている。内環５０は対応する複数の下側頭部及び首部５２〜５９を支持している。下側頭部及び首部5２〜５９もまた放射状に向いており、内環５０に関して概ね等しい角度で均等に離れている。
【００２４】
上側頭部４２〜４９と下側頭部及び首部５２〜５９の各々は、矢印６０で示されるどちらかの方向への内環５０に対する外環４１の回転或いは外環４１に対する内環５０の回転が、上側頭部４２〜４９と下側頭部及び首部５２〜５９の組合せによって、異なる組合せイメージを形成することができるように、異なる顔面の特徴を支持している。この結果、子供の使用者が本発明の人形で使用させるべき容貌を選択することで、様々に組み合わせられた或いは複合した顔面を作り出すことができる。
【００２５】
図３は、複数の容貌スタンプ７０，８０，９０の遠近図を示し、それぞれを前方から及び後方から示している。当業者にとっては明らかであろうが、容貌スタンプ７０，８０，９０は、イラスト、即ち描画の目的で単独で用いられ、異なるイメージをもった様々な異なる形態の容貌スタンプが本発明の精神及び範囲から逸脱することなく、本発明の人形との組合せに適用できる。
【００２６】
より具体的には、容貌スタンプ７０は、フランジ７２に固定されたハンドル７１を備えている。フランジ７２は、容貌面７３を画定しており、その上には隆起イメージ７４が形成されている。尚、フランジ７２は多様な輪郭の外縁部を画定しており、その重要性については以下により詳しく説明する。ここで注目すれば十分であろうが、フランジ７２の外縁部形状は、以下に記載する態様で容貌スタンプ７０の特徴的な位置決めのために用意されている。
【００２７】
容貌スタンプ８０は、フランジ８２に固定されたハンドル８１を備えている。フランジ８２は、容貌面８３を支持しており、その上には隆起イメージ８４が形成されている。繰り返すが、フランジ８２は特徴的な外縁部形状を画定することは注目すべきである。
【００２８】
容貌スタンプ９０は、フランジ９２に固定されたハンドル９１を備えている。フランジ９２は、容貌面９３を支持しており、その上には隆起イメージ９４が形成されている。繰り返すが、フランジ９２は特徴的な外縁部形状又は構造を画定することは注目すべきである。
【００２９】
図４は、本発明に従って構成されたステンシルマスクの遠近図を示し、全体が符号１００で示されている。ステンシルマスク１００は、外側縁取り１０１および概ね曲面となっている面板１０２を備えている。面板１０２は望ましい形態では、頭部１７の前面２０に対応する一般的な輪郭を画定する（図１参照）。面板１０２は、複数の開口１０３，１０４，１０５を画定している。面板１０２は更に首部切り欠き１０６を画定している。
【００３０】
実際の操作において、面板１０２は概ね人形１０の頭部１７の顔面２０に適合する形状及び輪郭となっている（図１参照）。共に用いる人形の顔面への面板１０２の位置決めは、人形１０の首部１６へ首部切り欠き１０６を合わせることによって実現される（図５参照）。従って、ステンシルマスク１００は、面板１０２を前面２０に位置決めする下記の態様で顔面２０に位置決めされる（図５参照）。この位置決めはまた、開口１０３〜１０５を人形の頭部１７の前面２０に重ねることになる。
【００３１】
図５は、遠近法による人形１０及びステンシルマスクを一般的な使用法で組み立てた図を示す。従って、上記したように、人形１０は腕１４，１５と首部１６とを有する本体１１を備えている。耳１８，１９を備えて前面２０を画定する頭部１７は、首部１６に支持されている。縁取り１０１によって支持された面板１０２を有するステンシルマスク１００は、前面２０に重なるような関係で位置決めされる。頭部１７、特に顔面２０へのステンシルマスク１００の適切な位置決めは、首部１６と首部切り欠き１０６（図４参照）との相互作用によって実現される。面板１０２は、複数の特徴的な形状の開口１０３，１０４，１０５を画定している。当業者には明らかであろうが、開口１０３，１０４は顔面２０の概ね目のイメージの位置を提供するために位置決めされ、開口１０５は概ね顔面２０の口の容貌の位置を提供するために位置決めされる。当業者には明らかであろうが、開口１０３はスタンプ７０を受け入れて方向付けするよう特徴的に成形されており（図３参照）、開口１０４は、スタンプ９０を受け入れて方向付けするよう特徴的に成形され構成されている（同様に図３参照）。同様に、開口１０５が、スタンプ８０を受け入れて方向付けするように成形され構成されている（図３参照）。
【００３２】
図６は、容貌スタンプへのインク添加を表す部分遠近図を示す。図６に示すインク供給工程に替えて、従来のインク台を使用してもよいことは理解されるであろう。図６の操作において、ハンドル９１とフランジ９２を有する容貌スタンプ９０は、表面９３と隆起イメージ９４に接近できるように位置決めされている。マーカー先端部６６を有する一般的なインクマーカー(ink marker)６５は、インクを隆起イメージ９４に移すために使用される。容貌スタンプ９０を用いる図６に示す例において、隆起イメージ９４は、開いた眼の要素と共に眉毛の要素を備えている。しかしながら、異なる隆起イメージでも同じ態様で適用され図６に示す操作に従ってインクが付けられることは、当業者には明らかであろう。
【００３３】
図７は、典型的な容貌塗布工程の間に支持されているステンシルマスク１１０を有する人形１０の前方遠近図を示す。より具体的には、人形１０は、腕１４，１５を支持する本体１１を備えている。縁取り１１１及び面板１１２を有するステンシルマスク１１０は、人形１０の顔面２０上に位置決めされる。ステンシルマスク１１０は、実質的に上記図４に示すステンシルマスク１００と同一であるが、面板１１２に形成される開口の択一的組合せにおいて違いが見られる。面板１１２におけるスタンプ位置決め開口の択一的組を除いて、ステンシルマスク１１０は上記したステンシルマスク１００と構造及び操作の点で実質的に同一であると理解されるであろう。従って、面板１１２は、ステンシルマスク１００に形成された開口１０４と実質的に同一な一対の開口１１３、１１４を画定する（図４）。加えて、面板１１２は、ステンシルマスク１００に示される開口１０５と実質的に同一の開口１１５を画定する（図４参照）。
【００３４】
人形１０上で顔面２０に重ねられるステンシルマスク１１０によって、使用者は図７に示す態様で表面２０上に複数の選択された顔面容貌イメージを特徴的に位置決めし描くことができる。例としては、上記図３により詳しく説明したハンドル９１とフランジ９２とを有する容貌スタンプ９０は、フランジ９２が開口１１３に適切に調整されるように方向付けされる。従って、容貌スタンプ９０は、開口１１３内において位置決めフランジ９２に動かされる。フランジ９２及び開口１１３の両方の特徴的な形状及び輪郭によって、顔面２０への容貌スタンプ９０の所望の回転及び位置調整をすることができる。その後で使用者は、容貌スタンプ９０を内部の顔面２０上に押し付けて、選択された顔面容貌を顔面上に描く。
【００３５】
使用者は、それからインクを容貌スタンプ９０に補充して、顔面２０に第２の目の容貌を描くために、開口１１４に同じ工程を適用する。最後に、図７の例における人形１０のために選択された容貌スタンプセットは、開口１１５と協働して上記した態様で顔面２０上に口のイメージを描く容貌スタンプ８０（図３参照）を用いることによって完成される。
【００３６】
図８は、本発明のステンシルマスクと選択された容貌スタンプを適用して描かれた顔面イメージの組合せを有する人形１０の部分前面図を示す。図８の例において、図５に示すステンシルマスク１００は、容貌スタンプ７０，８０，９０と共に使用される（図３参照）。従って、図８に示すように、人形１０は顔面２０を有する頭部１７を支持する首部１６を供え、その上に目のイメージ１２０と他方の目のイメージ１２１と共に描かれる。同様に、口のイメージ１２２も顔面２０上に描かれる。
【００３７】
図８はまた、マーキング先端部６８を有するペン６７を用いて、顔面２０上への顔面イメージを更に増加・強調する場合を示している。図８に示す操作において、ペン６７は、アイシャドウとして知られる一般的な目の化粧工程の形で目のイメージ１２０の着色強調をするために用いられる。しかし当業者には明らかであろうが、異なる色を有する様々なペンは、本願発明の精神及び範囲から逸脱することなく、顔面２０上に描かれる容貌イメージの様々な強調を提供するのに適用される。
【００３８】
図９は、容貌除去工程の開始について図示した部分前面図を示す。図９に示されるように、顔面２０上に描かれた様々な容貌イメージは、子供の使用者が更に異なる容貌を塗布し、人形１０の容姿を変化させられるように洗い落とされる。従って、人形１０は、顔面２０を有する頭部１７を支持する首部１６を備えている。人形１０は更に、頭部１７上に支持されたかつら３０を備えている。口のイメージ１２２と共に目のイメージ１２０，１２１を有する顔面２０は、図９に示されている。本発明の清浄可能又は洗浄可能な容貌を示すために、各端部に一対の吸収性パッド１２６，１２７を有する洗浄手段１２５が、目のイメージ１２０を落としているのが示されている。顔面２０は洗浄可能な材料で形成され、顔面２０に顔面容貌イメージを描くのに適用されるインクも同様に洗浄可能特性を有することが望ましいということが、思い出されるであろう。従って、洗浄手段１２５のパッド１２７は、目のイメージ１２０を容易に落とせるように、適当な溶剤または洗浄液がしみ込みまたは湿潤していることが望ましい。洗浄手段１２５と一緒に使用される溶剤又は洗浄液の選択は、適用されるインクの特徴によって決定される。例えばもし、水溶性の洗浄可能インクが用いられれば、パッド１２７は単純にイメージ１２０を難なく溶解させるのための所定量の水で湿潤しているだけである。代替案としては、選択肢としてのアルコールのような溶剤が要求される顔面２０上への容貌イメージの描画に、インク又は描画部品が適用されるかもしれない。そのような場合、パッド１２７は、所定量のアルコールなどで湿潤され適切な洗浄性を提供する。
【００３９】
従って、本発明の人形は、本発明の人形の容姿又は顔面表情を変化させるために、複数の異なる顔面容貌の組合せが提供されることは明らかであろう。工程は、適当なステンシルマスク及び容貌スタンプの組合せの適用により実質的に向上する。各容貌セットは、その後他の容貌セットを適用できるように簡単な洗浄で落とされる。図１０は、人形の容姿変化を更に強調するための頭髪着色を適用した場合の本発明の人形の遠近図を示す。上記したように、人形１０は、腕１４，１５と共に脚１２，１３を支持する本体１１を備えている。本体１１は更に、顔面２０を有する頭部１７を順に支持する首部１６を支持している。かつら３０は、図１について上記した態様で頭部１７の上に受け入れられる。上記した本発明に従って、複数の描画容貌１２０，１２１，１２２は、頭部１７の表面２０に描かれる。人形１０の容姿を更に変化させるために、先端部１３１を有するマーカー３０が、交互に色が変化する領域を生み出すためにかつら３０に適用される。ここで示されるのは、概ね一般的な本体及び実質的に空白で概ね容貌のない顔面を有する改良された人形である。位置決め用の複数の開口が形成された協働マスクは、人形の顔面に位置決め可能であり容貌スタンプの特定の位置決め及び方向付けを容易にする。容貌スタンプは、インク描画工程を用い、使用者が顔面にイメージを描くことができるようにしている。顔面は、人形の容姿を変化させるために、人形の顔の描画容貌イメージの繰り返しの除去及び再描画を容易にするように、洗浄可能となっている。
【００４０】
本発明の特別な実施形態が示されて説明されたが、当業者にとっては、変更及び修正が本発明のより広い特徴から逸脱することなく行われるであろうことは自明であろう。従って、添付の特許請求の範囲の意図は、本発明の本来の精神及び範囲内に含まれるそのような全ての変更及び修正を包含することである。
【図面の簡単な説明】
【００４１】
【図１】図１は、本発明に従って構成された人形の遠近法による組立図を示す。
【図２】図２は、本発明の人形と組み合わせて使用される付属物を示す。
【図３】図３は、本発明において適用される複数の人形用の顔面容貌スタンプの遠近図を示す。
【図４】図４は、本発明の人形のステンシルマスクの遠近図を示す。
【図５】図５は、本発明の人形の組み立て中における、本発明のステンシルマスクの遠近図を示す。
【図６】図６は、本発明の人形のステンシルマスクの、本発明の人形への容貌の描画の準備として適用される典型的なインク移し替え工程を有する容貌スタンプの遠近図を示す。
【図７】図７は、本発明のステンシルマスクと本発明の人形へ使用される付随する容貌スタンプの遠近図を示す。
【図８】図８は、本発明の人形の顔部分の部分遠近図を示す。
【図９】図９は、消去される描かれた顔面容貌を有する本発明の人形の部分遠近図を示す。
【図１０】図１０は、頭髪着色が施された本発明の人形の遠近図を示す。
【図１】
2005515047.tif 000003
【図２】
2005515047.tif 000004
【図３】
2005515047.tif 000005
【図４】
2005515047.tif 000006
【図５】
2005515047.tif 000007
【図６】
2005515047.tif 000008
【図７】
2005515047.tif 000009
【図８】
2005515047.tif 000010
【図９】
2005515047.tif 000011
【図１０】
2005515047.tif 000012
【国際調査報告】
2005515047.tif 000013